(57)【要約】第１の送受信器および第２の送受信器を有するワイヤレス通信デバイスにおける取得リストを更新する例示的な方法が開示されている。この取得リストは、第２の送受信器に関連付けられている。例示的な方法は、第１の送受信器を介して、ワイドエリアネットワーク上で、取得リストのエントリの第１のカテゴリを更新することと、ワイヤレス通信デバイス上の入力手段を介して、ユーザによって、取得リストのエントリの第２のカテゴリを更新することとを含んでいる。
2009512257.tif 000002
【特許請求の範囲】
【請求項１】
第１の送受信器および第２の送受信器を有するワイヤレス通信デバイスにおける取得リストを更新する方法であって、該方法は、
ワイヤレスローカルエリアネットワークとの通信のために、該取得リストを該第２の送受信器と関連付けることと、
選好ローミングリストにしたがって、該第１の送受信器を介して、ワイドエリアネットワーク上で、該取得リストのエントリの第１のカテゴリを更新することと、
ワイヤレス通信デバイス上の入力手段を介して、ユーザによって、該取得リストのエントリの第２のカテゴリを更新することと
を包含する、方法。
【請求項２】
前記第２の送受信器を介して、前記ワイヤレスローカルエリアネットワーク上で、前記取得リストのエントリの第１のカテゴリを更新することをさらに含む、請求項１に記載の方法。
【請求項３】
前記エントリの第２のカテゴリは、使用可能フラグであり、該使用可能フラグが設定された場合に限り、エントリの該第２のカテゴリの更新が提供される、請求項１に記載の方法。
【請求項４】
前記使用可能フラグは、前記第１の送受信器を介して、前記ワイドエリアネットワーク上で送信される通信を介して設定される、請求項３に記載の方法。
【請求項５】
前記使用可能フラグは、前記第２の送受信器を介して、前記ワイヤレスローカルエリアネットワーク上で送信される通信を介して設定される、請求項３に記載の方法。
【請求項６】
前記エントリの第１のカテゴリおよび該エントリの第２のカテゴリの各エントリは、優先度のレベルと関連付けられている、請求項１に記載の方法。
【請求項７】
前記エントリの第１のカテゴリおよび該エントリの第２のカテゴリの各エントリは、認証プロファイルデータと関連付けられており、該認証プロファイルデータは、認証プロファイルテーブルに格納されている、請求項１に記載の方法。
【請求項８】
前記認証プロファイルテーブルは暗号化されており、該認証プロファイルテーブルの各エントリは、
暗号化タイプ、
認証タイプ、
キー値、および
ログインデータ
を識別する、請求項７に記載の方法。
【請求項９】
第１の送受信器および第２の送受信器を有するワイヤレス通信デバイスにおける取得リストを更新する方法であって、該方法は、
ワイドエリアネットワークとの通信のために、選好ローミングリストを該第１の送受信器と関連付けることと、
ワイヤレスローカルエリアネットワークとの通信のために、該取得リストを該第２の送受信器と関連付けることであって、該取得リストは、該ワイドエリアネットワークによって維持されているエントリの第１のカテゴリ、および該ワイヤレスローカルエリアネットワークおよび該ワイヤレス通信デバイスのユーザのうちの少なくとも１つによって維持されているエントリの第２のカテゴリを含んでいる、ことと、
該第２の送受信器およびユーザインターフェースのうちの１つを介して、該取得リストの第２のカテゴリを更新することと、
該ワイドエリアネットワークを介して、該取得リストの第１のカテゴリを更新することと
を包含する、方法。
【請求項１０】
前記エントリの第１のカテゴリおよび該エントリの第２のカテゴリの各エントリは、認証プロファイルデータと関連付けられており、該認証プロファイルデータは、認証プロファイルテーブルに格納されている、請求項９に記載の方法。
【請求項１１】
前記認証プロファイルテーブルは暗号化されており、該認証プロファイルテーブルの各エントリは、
暗号化タイプ、
認証タイプ、
キー値、および
ログインデータ
を識別する、請求項１０に記載の方法。
【請求項１２】
ワイヤレス通信デバイスであって、
メモリに接続されたプロセッサと、
該プロセッサに通信可能なように接続された入力手段と、
ワイヤレスエリアネットワークとの通信のために、該プロセッサに通信可能なように接続された第１の送受信器であって、該メモリは、該ワイヤレスエリアネットワークを取得するために、選好ローミングリストを格納するように構成されている、第１の送受信器と、
ワイヤレスローカルエリアネットワークとの通信のために、該プロセッサに通信可能なように接続された第２の送受信器であって、該メモリは、該ワイヤレスローカルエリアネットワークを取得するために、取得リストを格納するように構成されており、エントリの第１のカテゴリおよびエントリの第２のカテゴリを有している、第２の送受信器と
を備えており、該プロセッサは、
該第１の送受信器を介して、ワイドエリアネットワーク上で受信される通信を介することによって、該取得リストのエントリの第１のカテゴリ更新することと、
該ワイヤレス通信デバイス上の入力手段を介して、ユーザによって、該取得リストのエントリの第２のカテゴリを更新することと
によって、該取得リストを更新するように構成されている、ワイヤレス通信デバイス。
【請求項１３】
前記プロセッサは、前記第２の送受信器を介して、前記ワイヤレスローカルエリアネットワーク上で受信された通信を介することによって、前記取得リストのエントリの第１のカテゴリを更新するように構成されている、請求項１２に記載のワイヤレス通信デバイス。
【請求項１４】
前記エントリの第２のカテゴリは、使用可能フラグを含んでおり、該使用可能フラグが設定された場合に限り、エントリの該第２のカテゴリの更新が提供される、請求項１２に記載のワイヤレス通信デバイス。
【請求項１５】
前記使用可能フラグは、前記第１の送受信器を介して、前記ワイドエリアネットワーク上で受信される通信を介して設定される、請求項１４に記載のワイヤレス通信デバイス。
【請求項１６】
前記使用可能フラグは、前記第２の送受信器を介して、前記ワイドエリアネットワーク上で受信される通信を介して設定される、請求項１４に記載のワイヤレス通信デバイス。
【請求項１７】
前記エントリの第１のカテゴリおよび該エントリの第２のカテゴリの各エントリは、優先度のレベルと関連付けられている、請求項１２に記載のワイヤレス通信デバイス。
【請求項１８】
前記エントリの第１のカテゴリおよび該エントリの第２のカテゴリの各エントリは、認証プロファイルデータと関連付けられており、該認証プロファイルデータは、認証プロファイルテーブルに格納されている、請求項１２に記載のワイヤレス通信デバイス。
【請求項１９】
前記認証プロファイルテーブルは暗号化されており、該認証プロファイルテーブルの各エントリは、
暗号化タイプ、
認証タイプ、
キー値、および
ログインデータ
を識別する、請求項１８に記載のワイヤレス通信デバイス。
【発明の詳細な説明】
【技術分野】
【０００１】
（技術分野）
本発明は、概して、ワイヤレスローカルエリアネットワーク（ＷＬＡＮ）デバイスに関し、より具体的には、ワイヤレスローカルエリアネットワークデバイスの取得リスト（ａｃｑｕｉｓｉｔｉｏｎ  ｌｉｓｔ）の管理に関する。
【背景技術】
【０００２】
（発明の背景）
デュアルモードの通信デバイス（モバイルハンドセット、セル電話、等としても公知）は、ワイヤレスアリアネットワーク（ＷＡＮ）への接続のためにセル無線を含んでおり、さらに、ワイヤレスローカルエリアネットワーク（ＷＬＡＮ）への接続のために別のセル無線を含んでいる。ＷＡＮの一実施例は、符号分割多重アクセス（ＣＤＭＡ）ネットワークであり、ＷＬＡＮの一実施例は、８０２．１１ネットワークである。現在、シングルモードのワイヤレス通信デバイスは、選好ローミングリスト（ＰＲＬ；ｐｒｅｆｅｒｒｅｄ  ｒｏａｍｉｎｇ  ｌｉｓｔ）を含んでおり、これは、サービスプロバイダによって維持および更新されている。サービスプロバイダは、典型的には、セルネットワークのプロバイダであり、これは、キャリアとも称され得る。典型的に、ＰＲＬは、取得インデックスセクションおよびシステム記録セクションを有している。取得インデックスセクションは、特に、特定のシステム（例えば、セルラまたはＷＬＡＮ）への接続のための、無線パラメータを定義する。システム記録セクションは、複数のエントリ、例えば、アクセスポイント（例えば、基地局またはワイヤレスアクセスポイント）の識別、および認証情報を定義する。
【０００３】
現在の装置は、様々な欠点を呈している。第１に、ＰＲＬはサービスプロバイダによって維持されているので、ユーザは、選好度の指定および一意的な改変を行う能力が制限されているか、あるいはそのような能力を一切有していないことがあり得る。これらの制限は、ＷＬＡＮのアクセスポイントがますます至るところに分布するようになり、アドホック（ａｓ  ｈｏｃ）な基地に設置されるようになるにつれて、さらに顕著なものとなってきている。これらのアドホックなネットワークにアクセスするためには、ユーザは、サービスプロバイダにコンタクトすることにより、これらのアドホックなネットワークへの接続をサポートすることを可能にしなければならないが、これは不便であり、結果として消費者の不満を招き得る。
【０００４】
第２に、ユーザがＰＲＬに対する改変を行うと、サービスプロバイダによる以後の改変は、ユーザによってなされた以前の改変を上書きし得るので、結果として、ユーザデータの望ましくない損失を招き得る。ユーザがＰＲＬに対する改変を行うことができないと、ユーザは、サービスプロバイダによってサポートされている特定のアドホックなネットワークにアクセスする能力を有さないことになり得るので、これにより、ＷＬＡＮデバイスへのユーザのアクセス可能性を大幅に制限することになり得る。
【発明の開示】
【課題を解決するための手段】
【０００５】
構造および動作の両方に関する本発明の詳細は、添付の図面を検討することによって、その一部分が得られる。
【０００６】
ワイヤレス通信デバイス上の取得リストを管理する方法が、開示される。ＣＤＭＡ選好ローミングリストは、キャリアによって制御されるシステム、およびキャリアのローミングパートナーから構成されており、これらによって、キャリアの（またはローミングパートナーの）ＣＤＭＡ（またはローミングパートナーの）ネットワークにアクセスする。ＷＬＡＮシステムは、例えば、キャリア、ローミングパートナー、エンタープライズ（例えば、会社）、個々のホットスポットプロバイダ（例えば、通常ホテルおよび空港において見出され得る）、ホットスポットアグリゲータ（ａｇｇｒｅｇａｔｏｒ）、およびエンドユーザによって制御される。
【０００７】
ＷＬＡＮシステムは、ＷＡＮシステムと比べて、遥かに動的な性質を有している。新しいＷＬＡＮシステムが、コンスタントに追加、除外、または配置転換されている。ＣＤＭＡシステムが、そのシステム識別子（ＳＩＤ）によって識別されるのと同様に、ＷＬＡＮシステムは、サービスセット識別子（ＳＳＩＤ）によって識別される。ＳＳＩＤは、ＷＬＡＮに一意的な名前を付与する文字列である。この名前は、複数の独立なネットワークが同じ物理的エリアにおいて動作しているときに、局が所望のネットワークに接続することを可能にする。
【０００８】
しかしながら、以下に記載されるように、ＷＡＮとＷＬＡＮとの間には、かなりの相違点が存在する。ＷＡＮは、基地局が集中的に管理されるアプローチをフォローしている。ＳＩＤは、単一のエージェンシーによって認可され、一意的である。ＷＬＡＮは、はるかに分散的であり、ほぼ全員が、自身が所望するＳＳＩＤを用いて、アクセスポイント（ＡＰ）を設定できる。ＳＳＩＤは、安全上の理由から、ブロードキャストできないことがあり得る。ＰＲＬにおいて、ＳＩＤをＷＬＡＮに対するＳＳＩＤによって置換し、それらを何らかの従来のアプローチで行われていたように、ＷＡＮシステムと同様に扱うことは、間違いであり得る。
【発明を実施するための最良の形態】
【０００９】
図１を参照すると、一実施形態にしたがう、例示的なＷＬＡＮ取得リスト１００が示されている。リスト１００は、ＷＬＡＮ  ＡＰに接続するために、ワイヤレス通信デバイス上に格納され得る。図３に示されているように、例示的なワイヤレス通信デバイス３００は、典型的には、メモリ３０４に接続されたプロセッサ３０２を含んでいる。ＣＤＭＡ送受信器３０６は、アンテナ３１０を介してセル信号を通信するために、プロセッサ３０２に通信可能なように接続されている。ＷＬＡＮ送受信器３０８は、アンテナ３１２を介してＷＬＡＮ信号を通信するために、プロセッサ３０２に通信可能なように接続されている。
【００１０】
図３に示されている例示的な実施形態において、メモリ３０４は、システム取得管理３１４、ＰＲＬ３１６、ＷＬＡＮ取得リスト３１８、認証プロファイルテーブル３２０を含んでいる。以下に記載されるように、システム取得管理３１４は、ＰＲＬ３１６、ＷＬＡＮ取得リスト３１８、および認証プロファイルテーブル３２０の更新およびアクセスを管理する。例示的な実施形態において、ＰＲＬ３１６は、ＣＤＭＡネットワークに対するシステム取得情報を含んでいるが、取得リスト３１８は、ＷＬＡＮ  ＡＰに対するシステム取得情報を含んでいる。ＣＤＭＡネットワークとＷＬＡＮ  ＡＰとの間のシステムの選択は、所望の選択スキームにしたがって、実装され得る。
【００１１】
図１を再度参照すると、リスト１００は、多数のフィールド１０２および多数のエントリ１０４を含んでいる。各エントリ１０４は、ＷＬＡＮシステムにアクセスするための無線パラメータを定義している。１つの好適な実施形態において、各エントリ１０４は、カテゴリ１０６に分割されている。図１に示されているように、リスト１００は、キャリア１０８、エンタープライズ１１０、ホットスポット１１２、およびユーザ１１４を含んでいる。カテゴリのリスト、およびリスト１００に示されているカテゴリ内のエントリの個数は、単に例示的なものであり、その他の実施形態において、カテゴリの個数および各カテゴリ内のエントリの個数は、変動し得る。一実施形態において、カテゴリ内のエントリの個数は、制限され得る。そのような場合、エントリの制限を超過し得る、新しいエントリが追加されると、最後に使用されたエントリが、新しいエントリを収容するために削除され得る。
【００１２】
サービスプロバイダは、キャリアカテゴリ１０８におけるエントリを、ハンドセットを販売時点（ｐｏｉｎｔ  ｏｆ  ｓａｌｅ）における既知のアクセスポイントを用いて設定することによって管理し得、これらのエントリを、無線経由の更新またはその他の通信手段（たとえば、直接接続）を使用して更新し得る。一部の実施形態において、キャリアは、ＷＬＡＮインターフェース上の通信を介して（例えば、インターネット上の通信を介して）、キャリアカテゴリ１０８におけるエントリを更新し得る。エンタープライズカテゴリ１１０は、例えば会社またはビジネスのようなエントリによって、それらのエントリに関連付けられたアクセスポイントを定義するために使用され得る。例えば、エンタープライズエントリは、サービスプロバイダとのサービスをネゴシエートし得る。このようにして、サービスプロバイダは、安全機構（ログイン／パスワード）を提供し、エンタープライズエントリが、リスト１００のエンタープライズカテゴリ１１０を設定および更新することを可能にする。
【００１３】
ホストカテゴリ１１２は、ホットスポットプロバイダによって利用され、これはまた、ホットスポットカテゴリ１１２のエントリを設定および更新するために、キャリアによって安全機構（ログイン／パスワード）を管理しなければならない。キャリアが１つ以上のホットスポットベンダー／アグリゲータとの契約を有している場合、追加的なホットスポットカテゴリが追加され得る。取得リスト１００において、ユーザカテゴリ１１４が提供され得る。ユーザカテゴリ１１４におけるエントリは、ハンドセットのユーザによって、追加、編集、および削除され得る。例えば、ユーザが未設定のＡＰにアクセスすることを所望するとき、特定のＡＰのためのユーザカテゴリ１１４内に格納されている関連情報を入力するようにユーザに促すインターフェースが提供される。例えば、このインターフェースは、認証パラメータを提供するようにユーザに促し得る。このインターフェースはまた、ユーザに対して現在のエントリの閲覧を提供し、変更を行わせ得る。特定のＡＰのためのユーザカテゴリ１１４において、ユーザが必要な情報を入力すると、ワイヤレス通信デバイスは、順次このＡＰに自動的に接続し得る。
【００１４】
サービスプロバイダは、ユーザカテゴリ１１４において、これらの選好度を設定する際に、サービスプロバイダが、ユーザに対してどの程度の制御を提供したいのかを決定し得る。サービスプロバイダはまた、ハンドセット上でどのカテゴリが許容されているかを決定し、様々なレベルのサービス（例えば、プレミアユーザおよび通常ユーザ）の間の区別を行い得る。
【００１５】
リスト１００の完全性を保護するために、システム取得管理（図３参照）は、リスト１０のエントリを更新するための便宜を提供する。例えば、１つのカテゴリにおける改変がその他のカテゴリにおけるエントリに影響しないように、保護スキームが実装され得る。このようにして、例えば、キャリアカテゴリ１０８におけるエントリが、ユーザカテゴリ１１４におけるエントリを改変しないように、サービスプロバイダによって、更新が行われる。特定の実施形態において、１つのカテゴリにおけるエントリは、その他のカテゴリにおけるエントリと独立に、更新され得る。
【００１６】
図１を再度参照すると、例示的なリスト１００の各カテゴリ１０６は、優先選好度（ｐｒｏｐｒｉｔｙ  ｐｒｅｆｅｒｅｎｃｅ）１１６および使用可能フラグ１１８にさらに関連付けられ得る。優先選好度は、例えば、販売時点におけるサービスプロバイダによって確立される。例示的なリスト１００において、キャリアカテゴリ１０８は最高位の優先選好度であり、エンタープライズカテゴリ１１０は次に高い優先度であり、ユーザがカテゴリ１１４は第３の優先度のカテゴリであり、その後にホットスポットカテゴリ１１２が続いている。選好度基準（図示されず）もまた、カテゴリ内の各エントリに対して定義され得る。使用可能フラグ１１８は、特定のカテゴリ１０６が、ＷＬＡＮシステムを取得する際に使用可能であるかどうかを定義する。例えば、リスト１００は、ホットスポットカテゴリ１１２を除く全てのカテゴリが取得されることを可能にする。特定の実施形態において、使用可能フラグは、動的に更新され得る。例えば、特定のカテゴリが、例えばホットスポットカテゴリ１１２のような使用不可能なものであり、ユーザがホットスポットプロバイダにアクセスすることを所望している場合、システム取得管理は、ユーザ自身がカテゴリを使用可能にすることを所望しているかどうかを、ユーザに促し得る。この使用可能性は、ユーザの口座に課金される料金を含み得る。サービスプロバイダは、無線経由のメッセージを送信し得、これは、ホットスポットカテゴリ１１２を使用可能にするために、システム取得管理によって受信される。
【００１７】
取得リスト１００はまた、１つ以上のＷＬＡＮ無線パラメータ１２０をも含み得る。例示的なリスト１００は、ＷＬＡＮ無線パラメータ１２０を示しており、この無線パラメータは、ＷＬＡＮ技術、ＳＳＩＤ、ＭＡＣ−ｉｄ、帯域、チャネル番号、許可されたローミング、許容されたアクセスを含んでいる。特定の実施形態において、最も頻繁に使用される一連のＡＰは、ＷＬＡＮシステムのより高速の取得を可能にするために維持され得る。
【００１８】
図１について続けると、認証プロファイルインデックスフィールド１２２が、例示的なリスト１００の各エントリに関連付けられている。このインデックス１２２は、図２に示されているような、認証プロファイルテーブル２００におけるエントリを参照する。その他の実施形態において、このインデックスによって参照されたデータは、リスト１００に直接的に組み込まれ得る。
【００１９】
図２を参照すると、認証プロファイルテーブル２００が示されている。テーブル２００は、インデックスフィールド２０２、暗号化タイプフィールド２０４、認証タイプフィールド２０６、ＷＥＰキーフィールド２０８、およびログイン／パスワードフィールド２１０を含んでいる。認証プロファイルテーブル２００の内容は、ハンドセットに格納される前に、安全性を増加させるために暗号化され得る。インデックスフィールド２０２は、特定のインデックスエントリに対する認証パラメータを決定するために、リスト１００の認証プロファイルインデックス１２２によって参照される。
【００２０】
特定の詳細および特徴は、省略されてきた。このような詳細および特徴は、本開示の利益を有する当業者に理解されるべきである。本発明は、本発明の実施形態が格納される機械読み取り可能媒体にさらに関する。命令を格納するのに適切な任意の媒体が、本発明の範囲内に含まれることが意図されている。例えば、そのような媒体は、磁気的、光学的、または半導体の媒体の形式を取り得る。本発明はまた、本発明の実施形態を含むデータ構造、および本発明の実施形態を格納する際のデータ構造の送信にも関し得る。
【００２１】
本明細書に含まれている記載および図面は、本発明の特定の実施形態であり、本発明によって広く意図されている対象を表現し得る。しかしながら、本発明は、当業者に明白であり得るその他の実施形態を含んでいる。したがって、本発明の範囲は、添付の請求の範囲によって制限される。
【図面の簡単な説明】
【００２２】
【図１】図１は、本発明の一実施形態にしたがう、例示的なＷＬＡＮ取得リストテーブルである。
【図２】図２は、本発明の一実施形態にしたがう、認証プロファイルテーブルである。
【図３】図３は、本発明の一実施形態にしたがう、デュアルモードのワイヤレス通信デバイスである。
【図１】
2009512257.tif 000003
【図２】
2009512257.tif 000004
【図３】
2009512257.tif 000005
【国際調査報告】
2009512257.tif 000006
2009512257.tif 000007
2009512257.tif 000008
2009512257.tif 000009
2009512257.tif 000010